【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
第１のサービスをユーザに提供するシステムであって、
当該システムは、前記第１のサービスに応じてユーザに課金される料金を計算する機能と、通信機能とを有する管理サーバを含み、
当該システムは、当該システム単独では、電子決済に対応しないが、前記第１のサービスと同種または異種の第２のサービスをユーザに提供する第２のシステムであって電子決済に対応するものとの協働により、電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記電子決済モードにおいて、ユーザの通信端末が、前記第２の管理サーバを経由するかまたは経由せずに前記管理サーバにアクセスし、それに応答し、その管理サーバが、前記料金を計算して前記第２の管理サーバに送信し、それに応答し、その第２の管理サーバが、前記決済サーバを介して電子決済を行い、その後、前記第２の管理サーバが前記管理サーバを経由するかまたは経由せずにユーザの通信端末に、前記電子決済が完了したことを表す決済完了信号を送信し、それにより、ユーザが、前記電子決済が完了したことを知ることが可能となる電子決済対応型サービス提供システム。
【請求項２】
前記第１のサービスは、自転車、自動車または自動二輪車を含む車両をユーザが駐車するためのスペースをそのユーザに貸与するサービスおよび／または自転車、自動車または自動二輪車を含む車両をユーザに貸与するサービスを含む請求項１に記載の電子決済対応型サービス提供システム。
【請求項３】
前記第１のサービスは、駐車場において、自転車、自動車または自動二輪車を含む車両をユーザが駐車するためのスペースをそのユーザに貸与するサービスを含み、
当該システムは、さらに、
ユーザによる決済が完了しないうちは、前記駐車場に入庫した車両がその駐車場から出庫することを物理的に制限し、ユーザによる決済が完了すると、出庫を物理的に許可する出庫許可装置を含み、
前記第２の管理サーバは、前記電子決済が完了すると、前記決済完了信号を前記管理サーバを経由するかまたは経由せずに前記出庫許可装置に送信し、
その出庫許可装置は、前記決済完了信号を受信すると、出庫を許可する状態に切り換わる請求項１に記載の電子決済対応型サービス提供システム。
【請求項４】
前記第１のサービスは、駐車場において、自転車、自動車または自動二輪車を含む車両をユーザが駐車するための複数のスペースである複数の車室のうちそのユーザによって選択されたものをそのユーザに貸与するサービスを含み、
当該システムは、さらに、
ユーザの通信端末は、前記選択された車室に車両が入庫する入庫ステージまたはその車室から車両が出庫する出庫ステージにおいて、前記電子決済モードがユーザによって選択されると、前記駐車場を特定するための情報と前記選択された車室を特定するための情報との組合せを取得し、その組合せに、前記第２のシステムの会員としての会員ＩＤを割り当て、その会員ＩＤを用いて前記管理サーバを経由するかまたは経由せずに前記第２の管理サーバにアクセスする第１のアクセス手段を含む請求項１に記載の電子決済対応型サービス提供システム。
【請求項５】
さらに、
ユーザの通信端末は、前記電子決済モードがユーザによって選択されると、そのユーザのユーザＩＤまたはそのユーザに一義的に対応する情報を取得し、それらユーザＩＤまたは情報に、前記第２のシステムの会員としての会員ＩＤを割り当て、その会員ＩＤを用いて前記管理サーバを経由するかまたは経由せずに前記第２の管理サーバにアクセスする第２のアクセス手段を含む請求項１に記載の電子決済対応型サービス提供システム。
【請求項６】
請求項１ないし５のいずれかに記載の電子決済対応型サービス提供システムにおける通信端末としてコンピュータを機能させるためのプログラム。
【請求項７】
請求項１ないし５のいずれかに記載の電子決済対応型サービス提供システムにおける管理サーバとしてコンピュータを機能させるためのプログラム。
【請求項８】
それ自体では電子決済に対応できない第１のシステムを用いて第１のサービスを受けることを希望するユーザが、前記第１のサービスに応じて課金される料金を、それ自体で電子決済に対応できる第２のシステムを用いて電子決済することを可能にする電子決済方法であって、
前記第１のシステムは、当該システムを用いて前記第１のサービスの提供を受けることを希望する第１サービス希望ユーザの通信端末と通信可能な第１の管理サーバを含み、
前記第２のシステムは、ユーザの通信端末と通信可能な第２の管理サーバと、その第２の管理サーバとの通信に応じ、ユーザによる電子決済を可能とする決済サーバとを含み、
当該電子決済方法は、
前記第１の管理サーバが、前記第２の管理サーバを経由するかまたは経由せずに、前記第１サービス希望ユーザの通信端末からのアクセスを受け入れる工程と、
前記第１の管理サーバが、前記アクセスに応答し、前記第１サービス希望ユーザに課金される前記料金を前記第２の管理サーバに、その第２の管理サーバが前記決済サーバを介して前記料金を電子決済することを可能とするために送信する工程と、
前記第１の管理サーバが、前記第２の管理サーバから受信した電子決済完了信号を前記第１サービス希望ユーザの通信端末に送信する工程と
を含む電子決済方法。
【請求項９】
それ自体で電子決済に対応できる第２のシステムを用いることにより、それ自体では電子決済に対応できない第１のシステムを用いて第１のサービスを受けることを希望するユーザが前記第１のサービスに応じて課金される料金を電子決済することを可能にする電子決済方法であって、
前記第１のシステムは、当該システムを用いて前記第１のサービスの提供を受けることを希望する第１サービス希望ユーザの通信端末と通信可能な第１の管理サーバを含み、
前記第２のシステムは、ユーザの通信端末と通信可能な第２の管理サーバと、その第２の管理サーバとの通信に応じ、ユーザによる電子決済を可能とする決済サーバとを含み、
当該電子決済方法は、
前記第２の管理サーバが、前記第１の管理サーバを経由するかまたは経由せずに、前記第１サービス希望ユーザの通信端末からのアクセスを受け入れる工程と、
前記第２の管理サーバが、前記アクセスに応答し、前記第１サービス希望ユーザに課金される前記料金を電子決済するために前記決済サーバと通信し、前記電子決済が完了すると、電子決済完了信号を前記決済サーバから受信する工程と、
前記第２の管理サーバが、前記決済サーバから受信した電子決済完了信号を、前記第１の管理サーバを経由するかまたは経由せずに、前記第１サービス希望ユーザの通信端末に送信する工程と
を含む電子決済方法。
【請求項１０】
請求項８に記載の電子決済方法における第１の管理サーバとしてコンピュータを機能させるためのプログラム。
【請求項１１】
請求項９に記載の電子決済方法における第２の管理サーバとしてコンピュータを機能させるためのプログラム。
【請求項１２】
請求項６，７，１０または１１に記載のプログラムをコンピュータ読み取り可能に記録した記録媒体。
【手続補正２】
【補正対象書類名】明細書
【補正対象項目名】発明の名称
【補正方法】変更
【補正の内容】
【発明の名称】電子決済対応型サービス提供システムおよび電子決済方法
【手続補正３】
【補正対象書類名】明細書
【補正対象項目名】００２３
【補正方法】変更
【補正の内容】
【００２３】
その課題を解決するために、本発明のあるアスペクトによれば、第１のサービスをユーザに提供するシステムであって、
当該システムは、前記第１のサービスに応じてユーザに課金される料金を計算する機能と、通信機能とを有する管理サーバを含み、
当該システムは、当該システム単独では、電子決済に対応しないが、前記第１のサービスと同種または異種の第２のサービスをユーザに提供する第２のシステムであって電子決済に対応するものとの協働により、電子決済モードを実行し、
前記第２のシステムは、
ユーザの通信端末と通信可能な第２の管理サーバと、
ユーザによる電子決済を可能とする決済サーバであって、前記第２の管理サーバと通信可能であるものと
を含み、
当該システムは、前記電子決済モードにおいて、ユーザの通信端末が、前記第２の管理サーバを経由するかまたは経由せずに前記管理サーバにアクセスし、それに応答し、その管理サーバが、前記料金を計算して前記第２の管理サーバに送信し、それに応答し、その第２の管理サーバが、前記決済サーバを介して電子決済を行い、その後、前記第２の管理サーバが前記管理サーバを経由するかまたは経由せずにユーザの通信端末に、前記電子決済が完了したことを表す決済完了信号を送信し、それにより、ユーザが、前記電子決済が完了したことを知ることが可能となる電子決済対応型サービス提供システムが提供される。
また、本発明の別のアスペクトによれば、それ自体では電子決済に対応できない第１のシステムを用いて第１のサービスを受けることを希望するユーザが、前記第１のサービスに応じて課金される料金を、それ自体で電子決済に対応できる第２のシステムを用いて電子決済することを可能にする電子決済方法であって、
前記第１のシステムは、当該システムを用いて前記第１のサービスの提供を受けることを希望する第１サービス希望ユーザの通信端末と通信可能な第１の管理サーバを含み、
前記第２のシステムは、ユーザの通信端末と通信可能な第２の管理サーバと、その第２の管理サーバとの通信に応じ、ユーザによる電子決済を可能とする決済サーバとを含み、
当該電子決済方法は、
前記第１の管理サーバが、前記第２の管理サーバを経由するかまたは経由せずに、前記第１サービス希望ユーザの通信端末からのアクセスを受け入れる工程と、
前記第１の管理サーバが、前記アクセスに応答し、前記第１サービス希望ユーザに課金される前記料金を前記第２の管理サーバに、その第２の管理サーバが前記決済サーバを介して前記料金を電子決済することを可能とするために送信する工程と、
前記第１の管理サーバが、前記第２の管理サーバから受信した電子決済完了信号を前記第１サービス希望ユーザの通信端末に送信する工程と
を含む電子決済方法が提供される。
また、本発明のさらに別のアスペクトによれば、それ自体で電子決済に対応できる第２のシステムを用いることにより、それ自体では電子決済に対応できない第１のシステムを用いて第１のサービスを受けることを希望するユーザが前記第１のサービスに応じて課金される料金を電子決済することを可能にする電子決済方法であって、
前記第１のシステムは、当該システムを用いて前記第１のサービスの提供を受けることを希望する第１サービス希望ユーザの通信端末と通信可能な第１の管理サーバを含み、
前記第２のシステムは、ユーザの通信端末と通信可能な第２の管理サーバと、その第２の管理サーバとの通信に応じ、ユーザによる電子決済を可能とする決済サーバとを含み、
当該電子決済方法は、
前記第２の管理サーバが、前記第１の管理サーバを経由するかまたは経由せずに、前記第１サービス希望ユーザの通信端末からのアクセスを受け入れる工程と、
前記第２の管理サーバが、前記アクセスに応答し、前記第１サービス希望ユーザに課金される前記料金を電子決済するために前記決済サーバと通信し、前記電子決済が完了すると、電子決済完了信号を前記決済サーバから受信する工程と、
前記第２の管理サーバが、前記決済サーバから受信した電子決済完了信号を、前記第１の管理サーバを経由するかまたは経由せずに、前記第１サービス希望ユーザの通信端末に送信する工程と
を含む電子決済方法が提供される。